(57)【要約】【課題】本開示は、チャックの開閉の繰り返しによってチャックの爪部が変形することを防止して、チャックの密閉性を保持することができるスライダー及びスライダー付き袋体を提供することを目的とする。【解決手段】本発明に係るスライダー２０は、チャック１０の上に跨って配置される頂壁部２１と、頂壁部２１の対向する２辺から下垂してチャック１０の両側に配置される両側壁部２２ａ，２２ｂと、頂壁部２１のチャック１０側の表面から両側壁部２２ａ，２２ｂ間に突出して第１帯部１３と第２帯部１４との間に配置される開口用ガイド２３と、を有し、幅広部２４の幅は、チャック１０が閉状態における第１帯部１３と第２帯部１４との距離よりも大きく、かつ、開口用ガイド２３は、相互に咬合する第１爪部１１ａ，１１ｂと第２爪部１２ａ，１２ｂとの間には挿入されない。【選択図】図５
2018191966.tif 000002
【特許請求の範囲】
【請求項１】
収容部と開口部とを有する袋体と、
前記開口部に設けられ、互いに咬合する少なくとも一対の第１爪部及び第２爪部と、前記第１爪部が設けられた第１帯部と、前記第２爪部が設けられた第２帯部とを有するチャックと、
該チャックに装着され、該チャックの一端部と他端部との間をスライドし、前記一端部側にスライドすることによって前記チャックを閉状態とし、かつ、前記他端部側にスライドすることによって前記チャックを開状態とするスライダーと、を備えるスライダー付き袋に適用される前記スライダーにおいて、
該スライダーは、前記チャックの上に跨って配置される頂壁部と、該頂壁部の対向する２辺から下垂して前記チャックの両側に配置される両側壁部と、前記頂壁部の前記チャック側の表面から両側壁部間に突出して前記第１帯部と前記第２帯部との間に配置される開口用ガイドと、を有し、
該開口用ガイドの突出方向に向かって見た前記開口用ガイドの形状は、幅広部と、該幅広部の前記他端部側に連接し、前記幅広部から離れるにつれて幅狭となる第１先細り部と、を有し、
前記幅広部の幅は、前記チャックが閉状態における前記第１帯部と前記第２帯部との距離よりも大きく、かつ、前記開口用ガイドは、相互に咬合する前記第１爪部と前記第２爪部との間には挿入されないことを特徴とするスライダー。
【請求項２】
前記第１帯部及び前記第２帯部の少なくともいずれか一方は、前記開口用ガイドに対向する部分に、触知性向上手段を有し、
前記開口用ガイドは、前記幅広部に、前記スライダーのスライド時に前記触知性向上手段に接触する突起を有することを特徴とする請求項１に記載のスライダー。
【請求項３】
前記第１帯部及び前記第２帯部の少なくともいずれか一方は、前記開口用ガイドに対向する部分に、触知性向上手段を有し、
前記開口用ガイドは、前記第１先細り部に、前記スライダーのスライド時に前記触知性向上手段に接触する突起を有することを特徴とする請求項１に記載のスライダー。
【請求項４】
前記両側壁部に対する前記突起の先端までの距離は、前記両側壁部に対する前記幅広部までの距離と同じであるか又は前記両側壁部に対する前記幅広部までの距離よりも大きいことを特徴とする請求項３に記載のスライダー。
【請求項５】
前記開口用ガイドは、前記収容部側に凸となる横断面形状を有することを特徴とする請求項１〜４のいずれか一つに記載のスライダー。
【請求項６】
前記開口用ガイドは、前記収容部側に凹となる横断面形状を有することを特徴とする請求項１〜４のいずれか一つに記載のスライダー。
【請求項７】
前記開口用ガイドは、前記頂壁部側の寸法が前記収容部側の寸法よりも小さいテーパー状の横断面形状を有することを特徴とする請求項１〜６のいずれか一つに記載のスライダー。
【請求項８】
前記開口用ガイドの突出方向に向かって見た前記開口用ガイドの形状は、前記幅広部の前記一端部側に連接し、前記幅広部から離れるにつれて幅狭となる第２先細り部を更に有することを特徴とする請求項１〜７のいずれか一つに記載のスライダー。
【請求項９】
収容部と開口部とを有する袋体と、
前記開口部に設けられ、互いに咬合する少なくとも一対の第１爪部及び第２爪部と、前記第１爪部が設けられた第１帯部と、前記第２爪部が設けられた第２帯部とを有するチャックと、
請求項１〜８のいずれか一つに記載のスライダーと、を備えることを特徴とするスライダー付き袋体。
【請求項１０】
前記チャックは、前記第１爪部又は前記第２爪部のうち最も前記収容部側に配置される最内爪部よりも前記収容部側に設けられた係合片を更に備えることを特徴とする請求項９に記載のスライダー付き袋体。
【請求項１１】
前記最内爪部は、前記係合片側に第１係合部を有し、
前記係合片は、前記第１係合部に係合する第２係合部を有することを特徴とする請求項１０に記載のスライダー付き袋体。
【発明の詳細な説明】
【技術分野】
【０００１】
本開示は、スライダー及びスライダー付き袋体に関する。
【背景技術】
【０００２】
袋体の開口部に設けられたチャック（ファスナー又はジッパーと呼ばれることもある。）の開閉をスライダーによって行うスライダー付き袋体が開示されている（例えば、特許文献１〜７を参照。）。また、スライダーによってファスナの噛合部材を噛合させながら超音波によって噛合部材の接合部を融着させて、水密ファスナを形成する技術が開示されている（例えば、特許文献８を参照。）。
【０００３】
触知性のための凹凸が形成されたチャックが開示されている（例えば、特許文献９を参照。）。また、チャックの連結部材の両端に高圧縮部材を設けることによって、連結部材が捻れたり潰れたりすることを防止する技術が開示されている（例えば、特許文献１０を参照。）。
【先行技術文献】
【特許文献】
【０００４】
【特許文献１】特開平７−１６５２４４号公報
【特許文献２】特開平７−１３２９４２号公報
【特許文献３】特開平５−１２４１０７号公報
【特許文献４】ＷＯ１９９８／０４８６５５
【特許文献５】ＷＯ２００３／０３５４９８
【特許文献６】ＷＯ１９９８／０１０６７４
【特許文献７】ＷＯ１９９９／０２４３２５
【特許文献８】特開平１−１８７２９７号公報
【特許文献９】ＷＯ１９９６／０２８０６３
【特許文献１０】特開２０００−２５５５９７号公報
【発明の概要】
【発明が解決しようとする課題】
【０００５】
従来のスライダー付き袋体では、例えば、特許文献４の図３に示されるように、スライダーの頂壁から下垂する開口用ガイド（隔離脚部２３）がチャックの咬合する爪部（最上部閉鎖要素１６ａ，１７ａ）間に挿入されることで、チャックの咬合が解除される。しかし、スライダーの開口用ガイドがチャックの爪部間に挿入される場合、チャックの開閉の繰り返しによってチャックが変形して密閉性が低下する問題があった。これまで、この問題を解決する方法は開示されていない。
【０００６】
本開示は、チャックの開閉の繰り返しによってチャックの爪部が変形することを防止して、チャックの密閉性を保持することができるスライダー及びスライダー付き袋体を提供することを目的とする。
【課題を解決するための手段】
【０００７】
本発明に係るスライダーは、収容部と開口部とを有する袋体と、前記開口部に設けられ、互いに咬合する少なくとも一対の第１爪部及び第２爪部と、前記第１爪部が設けられた第１帯部と、前記第２爪部が設けられた第２帯部とを有するチャックと、該チャックに装着され、該チャックの一端部と他端部との間をスライドし、前記一端部側にスライドすることによって前記チャックを閉状態とし、かつ、前記他端部側にスライドすることによって前記チャックを開状態とするスライダーと、を備えるスライダー付き袋に適用される前記スライダーにおいて、該スライダーは、前記チャックの上に跨って配置される頂壁部と、該頂壁部の対向する２辺から下垂して前記チャックの両側に配置される両側壁部と、前記頂壁部の前記チャック側の表面から両側壁部間に突出して前記第１帯部と前記第２帯部との間に配置される開口用ガイドと、を有し、該開口用ガイドの突出方向に向かって見た前記開口用ガイドの形状は、幅広部と、該幅広部の前記他端部側に連接し、前記幅広部から離れるにつれて幅狭となる第１先細り部と、を有し、前記幅広部の幅は、前記チャックが閉状態における前記第１帯部と前記第２帯部との距離よりも大きく、かつ、前記開口用ガイドは、相互に咬合する前記第１爪部と前記第２爪部との間には挿入されないことを特徴とする。
【０００８】
本発明に係るスライダーでは、前記第１帯部及び前記第２帯部の少なくともいずれか一方は、前記開口用ガイドに対向する部分に、触知性向上手段を有し、前記開口用ガイドは、前記幅広部に、前記スライダーのスライド時に前記触知性向上手段に接触する突起を有することが好ましい。触知性向上手段によって知覚されるチャックの開閉の触感をより強くすることができる。
【０００９】
本発明に係るスライダーでは、前記第１帯部及び前記第２帯部の少なくともいずれか一方は、前記開口用ガイドに対向する部分に、触知性向上手段を有し、前記開口用ガイドは、前記第１先細り部に、前記スライダーのスライド時に前記触知性向上手段に接触する突起を有することが好ましい。触知性向上手段によって知覚されるチャックの開閉の触感をより強くすることができる。
【００１０】
本発明に係るスライダーでは、前記両側壁部に対する前記突起の先端までの距離は、前記両側壁部に対する前記幅広部までの距離と同じであるか又は前記両側壁部に対する前記幅広部までの距離よりも大きいことが好ましい。触知性向上手段によって知覚されるチャックの開閉の触感をより強くしながら、円滑な開閉を実現することができる。
【００１１】
本発明に係るスライダーでは、前記開口用ガイドは、前記収容部側に凸となる横断面形状を有することが好ましい。触知性向上手段によって知覚されるチャックの開閉の触感をより強くすることができる。
【００１２】
本発明に係るスライダーでは、前記開口用ガイドは、前記収容部側に凹となる横断面形状を有することが好ましい。スライダーをより円滑に移動させることができる。また、爪部の変形をより防止することができる。
【００１３】
本発明に係るスライダーでは、前記開口用ガイドは、前記頂壁部側の寸法が前記収容部側の寸法よりも小さいテーパー状の横断面形状を有することが好ましい。触知性向上手段によって知覚されるチャックの開閉の触感をより強くすることができる。
【００１４】
本発明に係るスライダーでは、前記開口用ガイドの突出方向に向かって見た前記開口用ガイドの形状は、前記幅広部の前記一端部側に連接し、前記幅広部から離れるにつれて幅狭となる第２先細り部を更に有することが好ましい。チャックの密閉性を向上させることができる。
【００１５】
本発明に係るスライダー付き袋体は、収容部と開口部とを有する袋体と、前記開口部に設けられ、互いに咬合する少なくとも一対の第１爪部及び第２爪部と、前記第１爪部が設けられた第１帯部と、前記第２爪部が設けられた第２帯部とを有するチャックと、本発明に係るスライダーと、を備えることを特徴とする。
【００１６】
本発明に係るスライダー付き袋体では、前記チャックは、前記第１爪部又は前記第２爪部のうち最も前記収容部側に配置される最内爪部よりも前記収容部側に設けられた係合片を更に備えることが好ましい。チャックの密閉性を向上させることができる。
【００１７】
本発明に係るスライダー付き袋体では、前記最内爪部は、前記係合片側に第１係合部を有し、前記係合片は、前記第１係合部に係合する第２係合部を有することが好ましい。チャックの密閉性をより向上させることができる。
【発明の効果】
【００１８】
本開示によれば、チャックの開閉の繰り返しによってチャックの爪部が変形することを防止して、チャックの密閉性を保持することができるスライダー及びスライダー付き袋体を提供することができる。
【図面の簡単な説明】
【００１９】
【図１】本実施形態に係るスライダー付き袋体の一例を示す正面図である。
【図２】図１のＸ−Ｘ線端面図である。
【図３】図１のＡ部分拡大図であり、触知性向上手段、第１爪部及び第２爪部を透視した図である。
【図４】チャックの変形例を示す端面図である。
【図５】図１のＹ−Ｙ線端面図である。
【図６】本実施形態に係るスライダーであって、第一例の開口用ガイドを有するスライダーの一例を示す底面図である。
【図７】本実施形態に係るスライダーであって、第二例の開口用ガイドを有するスライダーの一例を示す底面図である。
【図８】本実施形態に係るスライダーであって、第三例の開口用ガイドを有するスライダーの一例を示す底面図である。
【図９】図８のＢ部分拡大図である。
【図１０】図８のＣ−Ｃ線断面図である。
【図１１】第四例の開口用ガイドを示す底面図である。
【図１２】第五例の開口用ガイドを示す端面図である。
【図１３】第六例の開口用ガイドを示す端面図である。
【図１４】第七例の開口用ガイドを示す端面図である。
【発明を実施するための形態】
【００２０】
次に、本発明について実施形態を示して詳細に説明するが本発明はこれらの記載に限定して解釈されない。本発明の効果を奏する限り、実施形態は種々の変形をしてもよい。
【００２１】
図１は、本実施形態に係るスライダー付き袋体の一例を示す正面図である。図２は、図１のＸ−Ｘ線端面図である。本実施形態に係るスライダー付き袋体１００は、図１に示すように、収容部２と開口部３とを有する袋体１と、開口部３に設けられ、互いに咬合する少なくとも一対の第１爪部１１ａ，１１ｂ（図２に図示）及び第２爪部１２ａ，１２ｂ（図２に図示）と、第１爪部１１ａ，１１ｂが設けられた第１帯部１３と、第２爪部１２ａ，１２ｂが設けられた第２帯部１４とを有するチャック１０と、スライダー２０と、を備える。
【００２２】
袋体１は、例えば、合成樹脂製のフィルムからなり、例えば、図１に示すように、該フィルムを半折して、両側部４を熱融着などで接合して形成される。収容部２は、袋体１の内部空間である。開口部３は、フィルムを半折した折返し部に対向する辺に設けられた非接合部であり、収容部２に収容される物品の出し入れをする部分である。
【００２３】
チャック１０は、袋体１の開口部３を繰り返し開閉可能とする合成樹脂製の部材であり、図２に示すように、第１帯部１３と第２帯部１４とを互いに対向させて、図１に示すように、袋体１の開口部３の全体にわたって設けられる。第１帯部１３は、図２に示すように、開口部３における対向する２枚のフィルム３ａ，３ｂのうち一方のフィルム３ａに設けられる。第２帯部１４は、開口部３における対向する２枚のフィルム３ａ，３ｂのうち他方のフィルム３ｂに設けられる。図２では、第１帯部１３及び第２帯部１４がフィルム３ａ，３ｂと別体の部材である形態を示したが、本発明はこれに限定されず、フィルム３ａ，３ｂと一体成形品であってもよい。第１爪部１１ａ，１１ｂは、第１帯部１３の内表面（第２帯部１４側の表面）から突出する部分である。第２爪部１２ａ，１２ｂは、第２帯部１４の内表面（第１帯部１３側の表面）から突出する部分である。第１爪部１１ａ，１１ｂと第２爪部１２ａ，１２ｂとは対を成しており、互いに咬合する形状を有する。図２では、一例として第１爪部１１ａ，１１ｂ及び第２爪部１２ａ，１２ｂが二対設けられた形態を示したが、本発明はこれに限定されない。また、第１爪部１１ａ，１１ｂ及び第２爪部１２ａ，１２ｂの形状は、図２では一例として鉤爪型を示したが、本発明はこれに限定されず、例えば、雌雄咬合型であってもよい。第１爪部１１ａ，１１ｂと第２爪部１２ａ，１２ｂとが咬合されるとチャック１０が閉状態となり、第１爪部１１ａ，１１ｂと第２爪部１２ａ，１２ｂとの咬合が解除されるとチャック１０が開状態となる。また、第１帯部１３及び第２帯部１４の外表面には、それぞれ第１帯部１３及び第２帯部１４の外表面から外側に突出する突条部１５が設けられる。
【００２４】
チャック１０の端部Ｅ１，Ｅ２には、スライダー２０がチャック１０の端部Ｅ１，Ｅ２から離脱することを防止する停止部１６が設けられる。停止部１６は、例えば、第１帯部１３及び第２帯部１４を相互に熱融着させて形成される。
【００２５】
図３は、図１のＡ部分拡大図であり、触知性向上手段、第１爪部及び第２爪部を透視した図である。第１帯部１３及び第２帯部１４の少なくともいずれか一方は、開口用ガイド２３（図５に図示）に対向する部分に、触知性向上手段１７を有することが好ましい。触知性向上手段１７は、チャックの開閉を触感で知覚するための加工部であり、例えば、くぼみ（図３に図示）又は突起（不図示）である。スライダーをスライドさせると開口用ガイド２３（図５に図示）が触知性向上手段１７に接触して、指に振動が伝達されたり、耳にカチカチと音が聞こえたりする。触知性向上手段１７が設けられる開口用ガイド２３（図５に図示）に対向する部分は、例えば、第１帯部１３及び第２帯部１４の上端部１３ａ，１４ａの内表面である。
【００２６】
図４は、チャックの変形例を示す端面図である。本実施形態に係るスライダー付き袋体では、チャック１０は、第１爪部１１ａ，１１ｂ又は第２爪部１２ａ，１２ｂのうち最も収容部２側に配置される最内爪部（図４では第２爪部１２ｂ）よりも収容部２側に設けられた係合片１８を更に備えることが好ましい。係合片１８は、第１帯部１３及び第２帯部１４のうち最内爪部（図４では第２爪部１２ｂ）が設けられていない方（図４では第１帯部１３）の内表面から内側に向けて突出する。係合片１８を設けることで、チャック１０の密閉性をより向上させることができる。図４では、一例として最内爪部が第２爪部１２ｂである形態を示したが、最内爪部が第１爪部１１ｂである場合、係合片１８は第２帯部１４に設けられる。
【００２７】
本実施形態に係るスライダー付き袋体１００では、最内爪部（図４では第２爪部１２ｂ）は、係合片１８側に第１係合部１８ａを有し、係合片１８は、第１係合部１８ａに係合する第２係合部１８ｂを有することが好ましい。第１係合部１８ａは、最内爪部（図４では第２爪部１２ｂ）の下側表面から下方に突出する突起であることが好ましい。第２係合部１８ｂは、係合片１８の上側表面から上方に突出する突起であることが好ましい。第１係合部１８ａと第２係合部１８ｂとが係合することで、チャック１０の密閉性をより向上させることができる。
【００２８】
本実施形態に係るスライダー２０は、図１に示すように、チャック１０に装着されてスライダー付き袋１００に適用される。スライダー２０は、チャック１０の一端部Ｅ１と他端部Ｅ２との間をスライドして、チャック１０を開閉する合成樹脂製の部材である。スライダー２０がチャック１０の一端部Ｅ１側にスライドすることによって、図２に示すように第１爪部１１ａ，１１ｂと第２爪部１２ａ，１２ｂとを咬合して、チャック１０を閉状態とする。また、スライダー２０がチャック１０の他端部Ｅ２側にスライドすることによって、図５に示すように第１爪部１１ａ，１１ｂと第２爪部１２ａ，１２ｂとの咬合を解除して、チャック１０を開状態とする。
【００２９】
図５は、図１のＹ−Ｙ線端面図である。図６は、本実施形態に係るスライダーであって、第一例の開口用ガイドを有するスライダーの一例を示す底面図である。本実施形態に係るスライダー２０は、図５又は図６に示すように、チャック１０の上に跨って配置される頂壁部２１と、頂壁部２１の対向する２辺から下垂してチャック１０の両側に配置される両側壁部２２ａ，２２ｂと、頂壁部２１のチャック１０側の表面から両側壁部２２ａ，２２ｂ間に突出して第１帯部１３と第２帯部１４との間に配置される開口用ガイド２３と、を有する。
【００３０】
スライダー２０は、図５に示すように、Πの字型（逆Ｕ字型）となる横断面形状を有する。スライダー２０の頂壁部２１は、第１帯部１３及び第２帯部１４の上端縁に沿って配置される。頂壁部２１の内表面（チャック１０側の表面）には、頂壁部２１の内表面から下方に突出する開口用ガイド２３が設けられる。開口用ガイド２３は、第１帯部１３と第２帯部１４との間を内側から押し広げて、第１爪部１１ａ，１１ｂと第２爪部１２ａ，１２ｂとの咬合を解除させる。スライダー２０の両側壁部２２ａ，２２ｂは、第１帯部１３及び第２帯部１４の外表面に沿って配置される。両側壁部２２ａ，２２ｂの外表面には、図１に示すように、チャックの１０の開閉時に指が引っかかりやすくするための、凹凸などの滑り止め加工２９が施されていることが好ましい。両側壁部２２ａ，２２ｂの内表面には、それぞれ両側壁部２２ａ，２２ｂの内表面から内側に向けて突出する脚部２６が設けられる。脚部２６が、第１帯部１３及び第２帯部１４の外表面に設けられた突条部１５に係合することで、スライダー２０がチャック１０に跨設された状態を保持したまま、チャック１０に沿って移動することができる。両側壁部２２ａ，２２ｂの内表面には、図６に示すように、それぞれ両側壁部２２ａ，２２ｂの内表面から内側に向けて突出する絞り部２７が設けられる。絞り部２７は、開口用ガイド２３よりもチャックの他端側Ｅ２（図１に図示）に配置される。スライダー２０をチャック１０の一端側Ｅ１に移動させるとき、絞り部２７が開口用ガイド２３に追尾することとなる。そして、絞り部２７によって、第１帯部１３及び第２帯部１４が外面から押圧されて、第１爪部１１ａ，１１ｂと第２爪部１２ａ，１２ｂとが咬合される。また、両側壁部２２ａ，２２ｂのいずれか一方は、図５に示すように、脚部２６よりも下方に壁面を延在させた延在部２８を有することが好ましい。延在部２８を設けることで、スライダー付き袋体１００の製造時にスライダー２０を整列・供給するパーツフィーダーにおいて、スライダー２０の整列性を向上させることができる。
【００３１】
開口用ガイド２３の突出方向に向かって見た開口用ガイド２３の形状（以降、開口用ガイド２３の底面形状ということもある。）は、図６に示すように、幅広部２４と、幅広部２４の他端部Ｅ２側に連接し、幅広部２４から離れるにつれて幅狭となる第１先細り部２５と、を有する。幅広部２４は、開口用ガイド２３の底面形状において幅が最も広い部分である。幅広部２４の幅は、図５に示すように、チャック１０が閉状態における第１帯部１３と第２帯部１４との距離よりも大きい。これによって、開口用ガイド２３を第１爪部１１ａ，１１ｂと第２爪部１２ａ，１２ｂとの間に挿入しなくても、第１帯部１３と第２帯部１４との間を内側から押し広げることができ、第１爪部１１ａ，１１ｂと第２爪部１２Ａ，１２Ｂとの咬合を解除させることができる。幅広部２４の幅は、開口用ガイド２３の底面形状において、スライダー２０のスライド方向に直交する方向の長さである。第１先細り部２５の底面形状は、幅広部２４の他端部Ｅ２側に頂点を有するテーパー形状であることが好ましく、例えば、幅広部２４を底辺とする二等辺三角形である。また、幅広部２４の一端部Ｅ１側に連接する部分の形状は、図６では一例として、一端部Ｅ１側が凹曲面となっている形態を示したが、本発明はこれに限定されない。
【００３２】
開口用ガイド２３は、図５に示すように、相互に咬合する第１爪部１１ａ，１１ｂと第２爪部１２ａ，１２ｂとの間には挿入されない。開口用ガイド２３の底面２３ａは、第１爪部１１ａ，１１ｂ及び第２爪部１２ａ，１２ｂのうち最も上方（スライダー２０の頂壁部２１側）に設けられた最外第１爪部１１ａ及び最外第２爪部１２ａよりも上方に配置される。より好ましくは、開口用ガイド２３の底面２３ａが、最外第１爪部１１ａ及び最外第２爪部１２ａの上面に接する位置に配置される。これによって、スライダー２０をより安定してスライドさせることができる。開口用ガイド２３が第１爪部１１ａ，１１ｂと第２爪部１２ａ，１２ｂとの間に挿入されると、第１爪部１１ａ，１１ｂ及び第２爪部１２ａ，１２ｂが開口用ガイド２３によって内側から押し広げられて、開口用ガイド２３の側面と両側壁部２２ａ，２２ｂの内表面との間で押し潰されて変形し、チャック１０の密閉性が低下する問題があるところ、開口用ガイド２３が第１爪部１１ａ，１１ｂと第２爪部１２ａ，１２ｂとの間に挿入されないことで、第１爪部１１ａ，１１ｂ及び第２爪部１２ａ，１２ｂが変形することを防止することができる。
【００３３】
次に、開口用ガイドの変形例について、図７〜図１４を参照して説明する。
【００３４】
図７は、本実施形態に係るスライダーであって、第二例の開口用ガイドを有するスライダーの一例を示す底面図である。図７には、スライダー３０がチャック１０の一端部Ｅ１（図１に図示）にある時のチャック１０の断面を図示した。スライダー３０では、第二例の開口用ガイド３３の底面形状は、幅広部３４と、幅広部３４の他端部Ｅ２側に連接する第１先細り部３５と、幅広部３４の一端部Ｅ１側に連接し、幅広部３４から離れるにつれて幅狭となる第２先細り部３６とを有する。幅広部３４及び第１先細り部３５は、図６に示す第一例の開口用ガイド２３と同様の構成である。第２先細り部３６は、スライダー３０をチャック１０の一端部Ｅ１に移動させたとき、停止部１６と第１帯部１３と第２帯部１４とで形成される空間Ｇに入り込む部分である。第２先細り部３６が空間Ｇに入り込むことで、チャック１０の密閉性を向上させることができる。第２先細り部３６の底面形状は、空間Ｇを埋める形状であることが好ましく、例えば、幅広部３４を底辺とし、頂点を丸めた二等辺三角形である。
【００３５】
図８は、本実施形態に係るスライダーであって、第三例の開口用ガイドを有するスライダーの一例を示す底面図である。図９は、図８のＢ部分拡大図である。図１０は、図８のＣ−Ｃ線断面図である。本実施形態に係るスライダー４０では、図３に示すように、第１帯部１３及び第２帯部１４の少なくともいずれか一方は、開口用ガイド４３に対向する部分に、触知性向上手段１７を有し、開口用ガイド４３は、図８に示すように、幅広部４４に、スライダー４０のスライド時に触知性向上手段１７に接触する突起４９を有することが好ましい。突起４９が触知性向上手段１７に接触することで、触知性向上手段１７によって知覚されるチャック１０の開閉の触感をより強くすることができる。突起４９は、図８に示すように、幅広部４４から両側壁部２２ａ，２２ｂに向けて突出させた部分である。突起４９の形状は、特に限定されず、開口用ガイド４３の底面形状において、最も突出する部分が鋭角にとがった形状（図９に図示）とするか、又は、最も突出する部分を丸めた形状（不図示）としてもよい。突起４９は、図１０に示すように、開口用ガイド４３の側面の高さ方向の全体にわたって設けるか、又は、開口用ガイド４３の側面のうち触知性向上手段１７に接触する部分だけに設けてもよい（不図示）。
【００３６】
図１１は、第四例の開口用ガイドを示す底面図である。本実施形態に係るスライダーでは、図３に示すように、第１帯部１３及び第２帯部１４の少なくともいずれか一方は、開口用ガイド５３に対向する部分に、触知性向上手段１７を有し、開口用ガイド５３は、図１１に示すように、第１先細り部５５に、スライダーのスライド時に触知性向上手段１７に接触する突起５９を有することが好ましい。突起５９は第１先細り部５５に設けられている以外は、図８に示す幅広部４４に設けられた突起４９と基本的な構造を同じくする。突起５９が触知性向上手段１７に接触することで、触知性向上手段１７によって知覚されるチャック１０の開閉の触感をより強くすることができる。
【００３７】
図１１に、側壁部２２ａの内壁面に対する平行線を線Ｌとして示した。両側壁部２２ａ，２２ｂに対する突起５９の先端までの距離は、両側壁部２２ａ，２２ｂに対する幅広部５４までの距離と同じであるか（不図示）又は両側壁部２２ａ，２２ｂに対する幅広部５４までの距離よりも大きい（図１１に図示）ことが好ましい。すなわち、図１１に示すように、突起５９は線Ｌよりも内側にあり、突起５９が幅広部５４よりも両側壁部２２ａ，２２ｂ側に突出しないので、触知性向上手段１７によって知覚されるチャック１０の開閉の触感をより強くしながら、円滑な開閉を実現することができる。
【００３８】
突起４９又は突起５９は、図６に示した形状を有する開口用ガイド２３に設けてもよい（変形例。不図示。）。
【００３９】
図１２は、第五例の開口用ガイドを示す端面図である。本実施形態に係るスライダー６０では、開口用ガイド６３は、収容部２側に凸となる横断面形状を有することが好ましい。開口用ガイド６３の横断面形状を収容部２側に凸とすることで、最外第１爪部１１ａ及び最外第２爪部１２ａが開口用ガイド６３の底面６３ａに当たって下方に押し下げられて、第１帯部１３又は第２帯部１４の上端部が開口用ガイド６３に押し付けられる。その結果、触知性向上手段１７（図３に図示）によって知覚されるチャック１０の開閉の触感をより強くすることができる。
【００４０】
図１３は、第六例の開口用ガイドを示す端面図である。本実施形態に係るスライダー７０では、開口用ガイド７３は、収容部２側に凹となる横断面形状を有することが好ましい。開口用ガイド７３の横断面形状を収容部２側に凹とすることで、最外第１爪部１１ａ及び最外第２爪部１２ａが開口用ガイド７３の底面７３ａに当たりにくくなる。その結果、スライダー７０をより円滑に移動させることができる。また、最外第１爪部１１ａ及び最外第２爪部１２ａの変形をより防止することができる。
【００４１】
図１４は、第七例の開口用ガイドを示す端面図である。本実施形態に係るスライダー８０では、開口用ガイド８３は、頂壁部２１側の寸法が収容部２側の寸法よりも小さいテーパー状の横断面形状を有することが好ましい。開口用ガイド８３の横断面形状をテーパー状とすることで、第１帯部１３又は第２帯部１４の上端部が開口用ガイド８３により強く接触する。その結果、触知性向上手段１７（図３に図示）によって知覚されるチャック１０の開閉の触感をより強くすることができる。
【符号の説明】
【００４２】
１  袋体
２  収容部
３  開口部
３ａ，３ｂ  フィルム
４  両側部
１０  チャック
１１ａ，１１ｂ  第１爪部
１１ａ  最外第１爪部
１２ａ，１２ｂ  第２爪部
１２ａ  最外第２爪部
１３  第１帯部
１４  第２帯部
１５  突条部
１６  停止部
１７  触知性向上手段
１８  係合片
１８ａ  第１係合部
１８ｂ  第２係合部
２０  スライダー
２１  頂壁部
２２ａ，２２ｂ  両側壁部
２３  開口用ガイド
２３ａ  開口用ガイドの底面
２４  幅広部
２５  第１先細り部
２６  脚部
２７  絞り部
２８  延在部
２９  滑り止め加工
３０  スライダー
３３  開口用ガイド
３４  幅広部
３５  第１先細り部
３６  第２先細り部
４０  スライダー
４３  開口用ガイド
４４  幅広部
４９  突起
５３  開口用ガイド
５４  幅広部
５５  第１先細り部
５９  突起
６０  スライダー
６３  開口用ガイド
６３ａ  開口用ガイドの底面
７０  スライダー
７３  開口用ガイド
７３ａ  開口用ガイドの底面
８０  スライダー
８３  開口用ガイド
１００  スライダー付き袋体
Ｅ１  チャックの一端部
Ｅ２  チャックの他端部
Ｇ  空間
【図１】
2018191966.tif 000003
【図２】
2018191966.tif 000004
【図３】
2018191966.tif 000005
【図４】
2018191966.tif 000006
【図５】
2018191966.tif 000007
【図６】
2018191966.tif 000008
【図７】
2018191966.tif 000009
【図８】
2018191966.tif 000010
【図９】
2018191966.tif 000011
【図１０】
2018191966.tif 000012
【図１１】
2018191966.tif 000013
【図１２】
2018191966.tif 000014
【図１３】
2018191966.tif 000015
【図１４】
2018191966.tif 000016